(57)【要約】      （修正有）【課題】冷却ファンのメンテナンスを容易に行うことができる液体注出装置を提供すること。【解決手段】容器Ｃに一端が連結され、飲料水を供給するための供給管Ｌ１と、供給管Ｌ１を冷却するための冷凍装置Ｆと、該冷凍装置Ｆを収容するためのハウジング部Ｈと、該ハウジング部Ｈの前方に突出するように該ハウジング部Ｈの前面壁Ｈ１に取り付けられ、且つ、供給管Ｌ１の他端に連結された注出部Ｐと、ハウジング部Ｈから前方に突出するように注出部Ｐよりも下方の前面壁Ｈ１に取り付けられたステージ部Ｓと、ステージ部Ｓよりも下方の前面壁Ｈ１に設けられた窓部に取り付けられたフィルターと、を備え、冷凍装置Ｆが、冷却管、該冷却管に冷却触媒を圧縮供給するコンプレッサ、冷却触媒を放熱するための放熱器、及び、外気を冷却風として放熱器に送風するための冷却ファン部、を有し、冷却ファン部が放熱器の前面壁Ｈ１側に配設されている液体注出装置Ｘである。【選択図】図１
2018135115.tif 000002
【特許請求の範囲】
【請求項１】
容器に貯蓄された飲料水を注出するための液体注出装置において、
前記容器に一端が連結され、前記飲料水を供給するための供給管と、
前記供給管を冷却するための冷凍装置と、
該冷凍装置を収容するためのハウジング部と、
該ハウジング部から前方に突出するように該ハウジング部の前面壁に取り付けられ、且つ、前記供給管の他端に連結された注出部と、
前記ハウジング部から前方に突出するように前記注出部よりも下方の前記前面壁に取り付けられたステージ部と、
前記ステージ部よりも下方の前記前面壁に設けられた窓部に取り付けられたフィルターと、
を備え、
前記冷凍装置が、冷却管、該冷却管に冷却触媒を圧縮供給するコンプレッサ、前記冷却触媒を放熱するための放熱器、及び、外気を冷却風として前記放熱器に送風するための冷却ファン部、を有し、
前記冷却ファン部が前記放熱器の前記前面壁側に配設されている液体注出装置。
【請求項２】
前記前面壁側から、前記冷却ファン部、前記放熱器、前記コンプレッサの順序で配設されている請求項１記載の液体注出装置。
【請求項３】
前記冷却ファン部が着脱自在となっており、
前記フィルターを前記窓部から取り外した状態で、該窓部から前記冷却ファン部を取り出し可能となっている請求項１又は２に記載の液体注出装置。
【請求項４】
前記冷凍装置が、冷却媒体が貯留された冷却水槽を更に有し、
前記供給管及び前記冷却管が前記冷却媒体に浸漬されている請求項１〜３のいずれか１項に記載の液体注出装置。
【請求項５】
前記飲料水がビールであり、
前記注出部が、該注出部の内部に設けられた前記飲料水の流路を開閉するためのコックを有し、
前記注出部の後端が前記前面壁に固定されている請求項１〜４のいずれか１項に記載の液体注出装置。
【発明の詳細な説明】
【技術分野】
【０００１】
本発明は、液体注出装置に関し、更に詳しくは、冷却ファンのメンテナンスが容易な液体注出装置に関する。
【背景技術】
【０００２】
ビール等の飲料水を高精度で所定量供給するための液体注出装置が知られている。
かかる液体注出装置は、一般に、冷凍装置を備えており、当該冷凍装置により冷却された飲料水を注出するようになっている。
【０００３】
このような液体注出装置としては、例えば、ビール樽収納庫と、冷却槽中に配管されたビールコイルにビールを通過させることにより該ビールを冷却する冷却部を有し、ビール樽収納庫内に熱交換器を設け、冷却槽中の冷却水を該熱交換器に循環させ、ビール樽収納部内を冷却可能としたビールディスペンサーが知られている（例えば、特許文献１参照）。
かかるビールディスペンサーにおいては、コンプレッサー２１と、凝縮器（放熱器）２３との間に、ファンモートル（冷却ファン）２２が配設される。
【０００４】
また、不凍液を有する冷却水槽と、該水槽の不凍液を冷却する冷却パイプと、冷却パイプの内側に配置された冷却蛇管と、内側中央部に配置された攪拌機とを備え、冷却蛇管と冷却パイプの間には仕切スリーブが配置され、仕切スリーブの内側にはヒータが配置されているビール注出装置が知られている（例えば、特許文献２参照）。
かかるビール注出装置においては、コンプレッサー９と、放熱器との間に、冷却ファンが配設される。
【先行技術文献】
【特許文献】
【０００５】
【特許文献１】特開２００７−３０３７９０号公報
【特許文献２】特開２０１１−７９５５９号公報
【発明の概要】
【発明が解決しようとする課題】
【０００６】
しかしながら、上記特許文献１記載のビールディスペンサー及び上記特許文献２記載のビール注出装置を含む従来の液体注出装置においては、図５に示すように、コンプレッサ１２ａと放熱器１３ａとの間に冷却ファン１１ａが配設されるため、冷却ファン１１ａの清掃等のメンテナンスが極めて困難である。すなわち、メンテナンスの際には、コンプレッサ１２ａ及び放熱器１３ａが障害となるため、作業性が劣るという欠点がある。
ちなみに、冷却ファンは、一般に、コンプレッサや放熱器よりも老朽化し易く、汚れも付着し易いため、比較的高頻度でメンテナンスを行う必要がある。
【０００７】
本発明は上記事情に鑑みてなされたものであり、冷却ファンのメンテナンスを容易に行うことができる液体注出装置を提供することを目的とする。
【課題を解決するための手段】
【０００８】
本発明者は、上記課題を解決するため鋭意検討したところ、冷却ファン部を放熱器の前面壁側に配設することにより、上記課題を解決し得ることを見出し、本発明を完成させるに至った。
【０００９】
本発明は、（１）容器に貯蓄された飲料水を注出するための液体注出装置において、容器に一端が連結され、飲料水を供給するための供給管と、供給管を冷却するための冷凍装置と、該冷凍装置を収容するためのハウジング部と、該ハウジング部から前方に突出するように該ハウジング部の前面壁に取り付けられ、且つ、供給管の他端に連結された注出部と、ハウジング部から前方に突出するように注出部よりも下方の前面壁に取り付けられたステージ部と、ステージ部よりも下方の前面壁に設けられた窓部に取り付けられたフィルターと、を備え、冷凍装置が、冷却管、該冷却管に冷却触媒を圧縮供給するコンプレッサ、冷却触媒を放熱するための放熱器、及び、外気を冷却風として放熱器に送風するための冷却ファン部、を有し、冷却ファン部が放熱器の前面壁側に配設されている液体注出装置に存する。
【００１０】
本発明は、（２）前面壁側から、冷却ファン部、放熱器、コンプレッサの順序で配設されている上記（１）記載の液体注出装置に存する。
【００１１】
本発明は、（３）冷却ファン部が着脱自在となっており、フィルターを窓部から取り外した状態で、該窓部から冷却ファン部を取り出し可能となっている上記（１）又は（２）に記載の液体注出装置に存する。
【００１２】
本発明は、（４）冷凍装置が、冷却媒体が貯留された冷却水槽を更に有し、供給管及び冷却管が冷却媒体に浸漬されている上記（１）〜（３）のいずれか１つに記載の液体注出装置に存する。
【００１３】
本発明は、（５）飲料水がビールであり、注出部が、該注出部の内部に設けられた飲料水の流路を開閉するためのコックを有し、注出部の後端が前面壁に固定されている上記（１）〜（４）のいずれか１つに記載の液体注出装置に存する。
【発明の効果】
【００１４】
本発明の液体注出装置においては、冷却ファン部が放熱器の前面壁側に配設されているので、液体注出装置の前方から、冷却ファンのメンテナンスを行うことができる。
また、前面壁側から、冷却ファン部、放熱器、コンプレッサの順序で配設されている状態で、液体注出装置の前方からメンテナンスを行うことにより、コンプレッサ及び放熱器が障害とならないため、作業性も極めて向上する。
なお、側面からメンテナンスを行う場合も、冷却ファン部がコンプレッサ及び放熱器に挟まれていないため、これらが障害とならず、作業性が向上する。
【００１５】
本発明の液体注出装置においては、冷却ファン部が、放熱器よりも前面壁側に配設されているので、外気を直接ハウジング部内に引き込むことができる。すなわち、冷却ファン部による外気の引き込み力を十分に発揮することができる。
一方、従来の液体注出装置においては、冷却ファン部が、放熱器を介して、外気をハウジング部内に引き込んでいるので、放熱器を介する分だけ引き込み力が落ちることになる。
【００１６】
本発明の液体注出装置においては、前面壁側から、冷却ファン部、放熱器、コンプレッサの順序で配設されているので、放熱器とコンプレッサとを極力近付けることができる。これにより、冷却触媒が流通する冷却管を短くすることができる。
【００１７】
本発明の液体注出装置においては、冷却ファン部を着脱自在とすることにより、冷却ファン部の交換も容易に行うことができる。
また、冷却ファン部を一旦取り出すことで、当該冷却ファン部に対して、細部にまでメンテナンスを行うことが可能となる。
さらに、フィルターを窓部から取り外した状態で、該窓部から冷却ファン部を取り出し可能とすることにより、従来技術のように、冷却ファン部を取り出すためにハウジング部を分解する必要がない。これにより、冷却ファン部を取り出す際の手間を省くことができる。
【００１８】
本発明の液体注出装置においては、供給管及び冷却管が冷却水槽の冷却媒体に浸漬されているので、冷却管により冷却媒体全体が冷却され、その冷却された冷却媒体により供給管の浸漬部分全体が冷却されることになる。これにより、供給管を流通する飲料水を、瞬時に冷却することができる。
【００１９】
本発明の液体注出装置においては、飲料水がビールであり、注出部が、該注出部の内部に設けられた飲料水の流路を開閉するためのコックを有し、注出部の後端が前面壁に固定されたものとすることにより、例えば、ビールサーバーとして好適に用いることができる。
【図面の簡単な説明】
【００２０】
【図１】図１は、本実施形態に係る液体注出装置においてビールの供給経路を説明するための概略図である。
【図２（ａ）】図２（ａ）は、本実施形態に係る液体注出装置のステージ部を外した状態を示す斜視図である。
【図２（ｂ）】図２（ｂ）は、本実施形態に係る液体注出装置のフィルターを外した状態を示す斜視図である。
【図３】図３は、本実施形態に係る液体注出装置を概略的に示す透過側面図である。
【図４】図４は、本実施形態に係る液体注出装置を概略的に示す透過正面図である。
【図５】図５は、従来の液体注出装置を概略的に示す透過側面図である。
【発明を実施するための形態】
【００２１】
以下、必要に応じて図面を参照しながら本発明の好適な実施形態について説明する。なお、以下の説明では、同一又は相当部分には同一符号を付し、重複する説明は省略する。また、上下左右等の位置関係は、特に断らない限り、図面に示す位置関係に基づくものとする。更に、図面の寸法比率は図示の比率に限られるものではない。
【００２２】
本発明に係る液体注出装置は、容器に貯蓄された飲料水を冷却した後、所定量を注出するための装置である。
なお、本発明に係る液体注出装置においては、一実施形態として、飲料水にビールを用いた例について説明する。この場合、液体注出装置は、いわゆるビールサーバーとして用いられる。
【００２３】
図１は、本実施形態に係る液体注出装置においてビールの供給経路を説明するための概略図であり、図２（ａ）は、本実施形態に係る液体注出装置のステージ部を外した状態を示す斜視図であり、図２（ｂ）は、本実施形態に係る液体注出装置のフィルターを外した状態を示す斜視図である。
図１に示すように、本実施形態に係る液体注出装置Ｘは、ビールが貯蓄された容器Ｃに一端が連結され、ビールを冷やして供給するための供給管Ｌ１と、供給管Ｌ１の中途部を冷却するための冷凍装置Ｆと、冷凍装置Ｆを収容するための箱状のハウジング部Ｈと、該ハウジング部Ｈから前方に突出するように該ハウジング部Ｈの前面壁Ｈ１に取り付けられ、且つ、供給管Ｌ１の他端に連結された注出部Ｐと、ハウジング部Ｈから前方に突出するように注出部Ｐよりも下方の前面壁Ｈ１に取り付けられたステージ部Ｓと、ステージ部Ｓよりも下方の前面壁Ｈ１に設けられた窓部に取り付けられたフィルター（図示しない）と、を備える。なお、冷凍装置Ｆ及びハウジング部Ｈの前面壁Ｈ１の詳細については後述する。
【００２４】
容器Ｃは、上述した供給管Ｌ１の他に、ガス管Ｌ２が連結されており、当該ガス管Ｌ２を介して、炭酸ガスボンベＧに接続されている。
そして、炭酸ガスボンベＧが、炭酸ガスを、ガス管Ｌ２を介して容器Ｃ内に供給することにより、容器Ｃは、貯留されたビールを供給管Ｌ１に圧送する。
なお、容器Ｃとしては、特に限定されず、タンクや樽等の市販のものを適宜用いることができる。
【００２５】
供給管Ｌ１は、一端が容器Ｃに連結され、他端が注出部Ｐに連結され、両者の間の中途部が冷凍装置Ｆ内でコイル状に配設されている。このため、液体注出装置Ｘにおいては、容器Ｃ内のビールが、供給管Ｌ１の一端から流入し、中途部において流通するビールが冷凍装置Ｆにより十分に冷却され、その後、供給管Ｌ１の他端から注出部Ｐ内に流入し、当該注出部Ｐから外部へ注出されることになる。
【００２６】
注出部Ｐは、胴部が前面壁Ｈ１に固定され、前面壁Ｈ１から前方に突出するように配設されている。なお、前面壁Ｈ１とは、ハウジング部Ｈの前面に位置する壁を意味する。
また、注出部Ｐは、その内部に流路（図示しない）が設けられており、当該流路の後端が上述した供給管Ｌ１に連結されている。
ここで、注出部Ｐは、当該流路を開閉又は切り替えるためのコックＰ１を有している。すなわち、注出部Ｐにおいては、コックＰ１を切り替えることにより、供給管Ｌ１から注出部Ｐの流路に流入するビールを流出させる状態、ビールの泡を流出させる状態、並びに、ビール及びビールの泡を流出させない状態、に選択することができるようになっている。もっとも、このような切り替え状態は、注出部の種類によっても異なるものとすることができる。
【００２７】
ステージ部Ｓは、後端が注出部Ｐよりも下方の前面壁Ｈ１に取り付けられ、前面壁Ｈ１から前方に突出するように配設されている。なお、ステージ部Ｓは、ハウジング部Ｈから着脱自在となっている（図２（ａ）参照）。
ステージ部Ｓにおいては、その上面に、注出部Ｐから注出されるビールを注ぐためのコップ（図示しない）が載置される。すなわち、注出部ＰのコックＰ１を操作して注出部Ｐの流路を開くことにより、ステージ部Ｓ上のコップにビールが注ぎ込まれることになる。
【００２８】
図３は、本実施形態に係る液体注出装置を概略的に示す透過側面図である。なお、図３においては、便宜的に、ステージ部Ｓ、供給管Ｌ１の一部及び冷却管１１の一部の記載を省略している。
図３に示すように、液体注出装置Ｘにおいて、冷凍装置Ｆは、冷却媒体が貯留された冷却水槽１０、当該冷却水槽１０を冷却するための冷却管１１、当該冷却管１１に冷却触媒を圧縮供給するコンプレッサ１２、冷却触媒を放熱するための放熱器１３、及び、外気を冷却風として放熱器１３に送風するための冷却ファン部１４、を有する。
ここで、冷却水槽１０は、冷凍装置Ｆの上段に配設され、コンプレッサ１２、放熱器１３及び冷却ファン部１４は、冷凍装置Ｆの下段に配設されている。
また、冷凍装置Ｆの下段においては、ハウジング部Ｈの前面壁Ｈ１側から、冷却ファン部１４、放熱器１３、コンプレッサ１２がこの順序で配設されている。
なお、冷却ファンは、冷却する目的で使用する送風機であり、外観の形状は問わず、ＢＯＸタイプ等であってもよい。また、冷却媒体としては、不凍液や水（冷却水）等が好適に用いられる。
【００２９】
冷凍装置Ｆにおいては、冷却水槽１０に貯留された冷却媒体中に、供給管Ｌ１及び冷却管１１が浸漬されている。
具体的には、冷却水槽１０に貯留された冷却媒体中に、冷却管１１がコイル状の形態で浸漬されている。このため、液体注出装置Ｘにおいては、コンプレッサ１２が冷却触媒を冷却管１１に供給することにより、冷却媒体に浸漬された部分の冷却管１１を介して、冷却媒体全体が冷却されるようになっている。
また、冷却水槽１０に貯留された冷却媒体中の冷却管１１の内側に、供給管Ｌ１がコイル状の形態で浸漬されている。このため、液体注出装置Ｘにおいては、浸漬された部分の供給管Ｌ１が冷却媒体により、冷却されるようになっている。
これらのことにより、液体注出装置Ｘにおいては、供給管Ｌ１を流通するビールを効率良く冷却することが可能となる。
【００３０】
上述したように、冷凍装置Ｆにおいては、冷却ファン部１４が、放熱器１３の前面壁Ｈ１側に配設されている。すなわち、冷却ファン部１４は、前面壁Ｈ１の窓部に取り付けられたフィルターに隣設されている。このため、冷却ファン部１４は、フィルターを介して、外部の空気（すなわち外気）を、十分な引き込み力でハウジング部Ｈ内に引き込み、放熱器１３側及びコンプレッサ１２側に送風することができる。
因みに、従来は、フィルターの後方に放熱器１３が配設され、そのまた後方に冷却ファン部１４が配設されているので、冷却ファン部１４の力によって吸い込まれる場合、冷却用の外気はフィルターと放熱器１３との２つの物体を通過して流れることとなる。そのため抵抗が大きく冷却ファン部１４に大きく負荷が加わることとなる。
一方、本発明において、冷却ファン部１４の前方にはフィルターしか存在しなく、冷却ファン部１４の力によって吸い込まれる場合、冷却用の外気はフィルターのみを通過することとなり、従来に比べて抵抗が少なく冷却ファン部１４の負荷も小さくてすむ。
【００３１】
更には、冷却ファン部１４は、上述したように、放熱器１３及びコンプレッサ１２よりも放熱器１３の前面壁Ｈ１側に配設されているので、前面壁Ｈ１側から、冷却ファン１４の清掃等のメンテナンスを容易に行うことができる。すなわち、冷却ファン部１４のメンテナンスの際には、単にフィルター（通常、板状体）だけを取り外しするだけで、冷却ファン１４の清掃等のメンテナンスが可能である。
その際、コンプレッサ１２及び放熱器１３が障害とならないため、作業が極めて効率よく行える。
【００３２】
図４は、本実施形態に係る液体注出装置を概略的に示す透過正面図である。なお、図４においては、便宜的に、供給管Ｌ１の一部及び冷却管１１の一部の記載、並びに、フィルターの記載を省略している。
図４に示すように、液体注出装置Ｘにおいて、ハウジング部Ｈは、前面の前面壁Ｈ１を含む箱型であり、上述した、供給管Ｌ１及び冷凍装置Ｆを内部に収容している。
なお、前面壁Ｈ１の上側には、前方に突出した注出部Ｐが取り付けられており、下側には、窓部Ｗが設けられている。
【００３３】
ここで、窓部Ｗは、前面壁Ｈ１に設けられた矩形状の切り欠き穴からなり、液体注出装置Ｘを稼動させる際には、安全性の観点から、フィルターＡが取り付けられる。なお、かかるフィルターＡは、前面壁Ｈ１の窓部Ｗに対して着脱自在となっている（図２（ｂ）参照）。
液体注出装置Ｘにおいては、窓部ＷにフィルターＡを取り付けることにより、冷却ファン部１４が外部の空気をハウジング部Ｈ内に引き込む際に、空気に含まれる異物を除去することができる。
【００３４】
液体注出装置Ｘにおいて、冷却ファン部１４は、左右に２基並設されている。
そして、各冷却ファン部１４は、いずれも、液体注出装置Ｘから着脱自在となっている。このため、液体注出装置Ｘにおいては、ハウジング部Ｈを解体することなく、フィルターを窓部Ｗから取り外した状態で、前面壁Ｈ１の窓部Ｗを介して、冷却ファン部１４を、ハウジング部Ｈから取り外すことができ、更に、その冷却ファン部１４を外部に直接取り出すことができる。
【００３５】
このことから、液体注出装置Ｘにおいては、窓部Ｗから冷却ファン部１４の交換を簡単に行うことができる。
また、冷却ファン部１４を一旦取り出すことで、当該冷却ファン部の細部にまでメンテナンスを行うことも可能となる。
【００３６】
以上、本発明の好適な実施形態について説明したが、本発明は上記実施形態に限定されるものではない。
【００３７】
本実施形態に係る液体注出装置Ｘにおいては、飲料水としてはビールを用いているが、これに限定されず、ビール以外の炭酸飲料水や、清涼飲料水、ミネラルウォーター等であってもよい。なお、飲料水が炭酸を含まない場合は、ガス管Ｌ２及び炭酸ガスボンベＧは不要である。
【００３８】
本実施形態に係る液体注出装置Ｘにおいては、１つの注出部Ｐが前面壁Ｈ１に固定されているが、注出部Ｐは複数取り付けられていてもよい。
また、注出部Ｐは、コックＰ１を切り替えることにより、ビールを流出させる状態、ビールの泡を流出させる状態、並びに、ビール及びビールの泡を流出させない状態、に選択することができるようになっているが、この構造に限定されるものではない。
【００３９】
本実施形態に係る液体注出装置Ｘにおいては、冷却水槽１０に貯留された冷却媒体中に、供給管Ｌ１及び冷却管１１を浸漬することにより、冷却媒体を介して供給管Ｌ１を冷却しているが、供給管Ｌ１を冷却する方法は、これに限定されない。
また、冷却管１１及び供給管Ｌ１は、共に、コイル状の形態で、冷却水槽１０に貯留された冷却媒体に浸漬されているが、必ずしもコイル状である必要はない。
【００４０】
本実施形態に係る液体注出装置Ｘにおいて、冷却ファン部１４は、左右に２基並設されているが、１基であってもよく、３基以上が並設されていてもよい。
【００４１】
本実施形態に係る液体注出装置Ｘにおいては、ステージ部Ｓ及びフィルターＡの着脱状態を別々に示しているが、同時に取り外すことも可能である。
【産業上の利用可能性】
【００４２】
本発明の液体注出装置Ｘは、冷却した飲料水を、高精度で所定量供給するための装置として用いられる。
本発明の液体注出装置Ｘによれば、冷却ファン１４のメンテナンスを容易に行うことができる。
【符号の説明】
【００４３】
１０・・・冷却水槽
１１・・・冷却管
１２・・・コンプレッサ
１３・・・放熱器
１４・・・冷却ファン部
Ａ・・・フィルター
Ｃ・・・容器
Ｆ・・・冷凍装置
Ｇ・・・炭酸ガスボンベ
Ｈ・・・ハウジング部
Ｈ１・・・前面壁
Ｌ１・・・供給管
Ｌ２・・・ガス管
Ｐ・・・注出部
Ｐ１・・・コック
Ｓ・・・ステージ部
Ｗ・・・窓部
Ｘ・・・液体注出装置
【図１】
2018135115.tif 000003
【図２（ａ）】
2018135115.tif 000004
【図２（ｂ）】
2018135115.tif 000005
【図３】
2018135115.tif 000006
【図４】
2018135115.tif 000007
【図５】
2018135115.tif 000008